(57)【要約】【課題】会員になった後の組織作り及び組織管理の必要性がなく、単純に少数の新規会員を紹介するだけでも収入を得ることが可能なネットワークビジネスにおける各会員の分配金を算出する。【解決手段】会員情報記録手段は、登録順に１系統で会員情報を記録していく。分配金算出手段は、一定期間内の総売上額に会員ランクごとに予め決定される還元率を乗じてランク別分配金を算出する。各ランクから分配金を受け取る権利を有する各会員の、後続する会員数に基づいて決定されるランク別ポイント数の合計であるランク別合計ポイント数を算出する。ランク別分配金をランク別合計ポイント数で割ったランク別ポイント単価を算出し、それに各会員のランク別ポイントを乗算して各会員のランク別分配金を算出する。分配金を受け取る権利を有するランクからのランク別分配金の合計を各会員の分配金と決定する。【選択図】図１
2005141304.tif 000002
【特許請求の範囲】
【請求項１】
少なくとも登録順番、会員の識別情報を含む各会員の会員情報をシリアルに記録する会員情報記録手段と、
少なくとも前記一定期間内の商品の総売上額を記録する売上情報記録手段と、
新規会員の会員情報が外部から入力されると、前記会員情報記録手段にシリアルに記録されている会員情報の最後尾に前記新規会員の会員情報を記録する登録順番管理手段と、
前記会員情報記録手段に記録された会員及び前記新規会員の売上情報が外部から入力されると、前記売上情報記録手段に前記売上情報を記録する商品売上管理手段と、
前記一定期間が経過したとき、前記売上情報記録手段に記録されている前記一定期間内の総売上額の一部から前記会員情報記録手段に記録された会員の内、複数の人を紹介した会員に分配する分配金を算出する分配金算出手段と、を有し、
前記分配金算出手段は、
前記複数の人を紹介した各会員の、後続する会員数に基づいて決定されるポイント数の合計である合計ポイント数を算出し、前記総売上額の一部を前記合計ポイント数で割ったポイント単価を算出し、該ポイント単価に前記各会員のポイント数を乗算して、該各会員の分配金を算出することを特徴とする分配金算出装置。
【請求項２】
少なくとも登録順番、会員の識別情報、登録後に紹介した会員の人数に基づき決定される会員ランク、及び予め定められた一定期間内の商品購入額を含む各会員の会員情報をシリアルに記録する会員情報記録手段と、
少なくとも前記一定期間内の商品の総売上額を記録する売上情報記録手段と、
新規会員の会員情報が外部から入力されると、前記会員情報記録手段にシリアルに記録されている会員情報の最後尾に前記新規会員の会員情報を記録する登録順番管理手段１１０Ａと、
前記会員情報記録手段１４０Ａに前記新規会員の記録がなされる際に、該新規会員を紹介した既存の会員の紹介人数の増加に対応して、該会員の会員ランクを更新する会員ランク管理手段と、
前記会員情報記録手段に記録された会員及び前記新規会員の売上情報が外部から入力されると、前記売上情報記録手段に前記売上情報を記録し、前記会員情報記録手段に記録された該当する会員の商品購入額を更新する商品売上管理手段と、
前記一定期間が経過したとき、前記売上情報記録手段に記録されている前記一定期間内の総売上額から前記会員情報記録手段に記録された会員に分配する分配金を算出する分配金算出手段と、を有し、
前記分配金算出手段は、
前記一定期間内の総売上額に前記会員ランクごとに予め決定される還元率を乗じて、該会員ランクごとに割り当てられるランク別分配金を算出し、前記会員ランクの資格を有し、かつ前記ランク別分配金を受け取る権利を有する各会員の、後続する会員数に基づいて決定されるランク別のポイント数の合計であるランク別合計ポイント数を算出し、前記ランク別分配金を前記ランク別合計ポイント数で割ったランク別ポイント単価を算出し、該ランク別ポイント単価に前記各会員のランク別のポイント数を乗算して、該各会員のランク別分配金を算出し、前記権利を有する会員ランクからのランク別分配金の合計を算出することを特徴とする分配金算出装置。
【請求項３】
前記登録順番管理手段は、
前記会員情報記録手段に記録されている会員が最高の会員ランクに到達した後、該会員が自己を紹介することにより外部から入力される会員情報を、前記会員と別人格と擬制して、前記会員情報記録手段にシリアルに記録されている会員情報の最後尾に記録することを特徴とする請求項２記載の分配金算出装置。
【請求項４】
前記各会員の前記ポイント数は、
前記各会員の自己購入額に応じて、異なる基準で決定されることを特徴とする請求項１から３のいずれか１項に分配金算出装置。
【請求項５】
前記各会員の前記ポイント数は、
前記各会員の後続する会員の購入額に応じて、異なる基準で決定されることを特徴とする請求項１から４のいずれか１項に記載の分配金算出装置。
【請求項６】
少なくとも登録順番、会員の識別情報、登録後に紹介した会員の人数に基づき決定される会員ランク、及び予め定められた一定期間内の商品購入額を含む各会員の会員情報をシリアルに記録する会員情報記録手段、及び少なくとも前記一定期間内の商品の総売上額を記録する売上情報記録手段を管理して、前記各会員に分配する分配金を算出する分配金算出方法であって、
新規会員の会員情報を外部から入力されると、前記会員情報記録手段にシリアルに記録されている会員情報の最後尾に前記新規会員の会員情報を記録する会員情報登録ステップと、
前記会員情報記録手段に前記新規会員の記録がなされる際に、該新規会員を紹介した既存の会員の紹介人数の増加に対応して、該会員の会員ランクを更新する会員ランク更新ステップと、
前記会員情報記録手段に記録された会員及び前記新規会員の売上情報が外部から入力されると、前記売上情報記録手段に前記売上情報を記録し、前記会員情報記録手段に記録された該当する会員の商品購入額を更新する商品売上更新ステップと、
前記一定期間が経過したとき、該一定期間内の総売上額に前記会員ランクごとに予め決定される還元率を乗じて、該会員ランクごとに割り当てられるランク別分配金を算出するランク別分配金算出ステップと、
前記会員ランクの資格を有し、かつ前記ランク別分配金を受け取る権利を有する各会員の、後続する会員数に基づいて決定されるランク別ポイント数の合計であるランク別合計ポイント数を算出するランク別合計ポイント数算出ステップと、
前記ランク別分配金算出ステップにより算出されたランク別分配金を、前記ランク別合計ポイント数算出ステップにより算出されたランク別合計ポイント数で割ったランク別ポイント単価を算出するランク別ポイント単価算出ステップと、
前記ランク別ポイント単価算出ステップにより算出されたランク別ポイント単価に、前記各会員のランク別ポイント数を乗算して、該各会員のランク別分配金を算出し、前記権利を有する会員ランクからのランク別分配金の合計を算出する会員別分配金算出ステップと、
を有することを特徴とする分配金算出方法。
【請求項７】
前記会員情報登録ステップは、
前記会員情報記録手段に記録されている会員が最高の会員ランクに到達した後、該会員が自己を紹介することにより外部から入力される会員情報を、前記会員と別人格と擬制して、前記会員情報記録手段にシリアルに記録されている会員情報の最後尾に記録することを特徴とする請求項６記載の分配金算出方法。
【請求項８】
少なくとも登録順番、会員の識別情報、登録後に紹介した会員の人数に基づき決定される会員ランク、及び予め定められた一定期間内の商品購入額を含む各会員の会員情報をシリアルに記録する会員情報記録手段、及び少なくとも前記一定期間内の商品の総売上額を記録する売上情報記録手段を管理して、前記各会員に分配する分配金を算出する分配金算出プログラムであって、
新規会員の会員情報を外部から入力されると、前記会員情報記録手段にシリアルに記録されている会員情報の最後尾に前記新規会員の会員情報を記録する会員情報登録処理と、
前記会員情報記録手段に前記新規会員の記録がなされる際に、該新規会員を紹介した既存の会員の紹介人数の増加に対応して、該会員の会員ランクを更新する会員ランク更新処理と、
前記会員情報記録手段に記録された会員及び前記新規会員の売上情報が外部から入力されると、前記売上情報記録手段に前記売上情報を記録し、前記会員情報記録手段に記録された該当する会員の商品購入額を更新する商品売上更新処理と、
前記一定期間が経過したとき、該一定期間内の総売上額に前記会員ランクごとに予め決定される還元率を乗じて、該会員ランクごとに割り当てられるランク別分配金を算出するランク別分配金算出処理と、
前記会員ランクの資格を有し、かつ前記ランク別分配金を受け取る権利を有する各会員の、後続する会員数に基づいて決定されるランク別ポイント数の合計であるランク別合計ポイント数を算出するランク別合計ポイント数算出処理と、
前記ランク別分配金算出処理により算出されたランク別分配金を、前記ランク別合計ポイント数算出処理により算出されたランク別合計ポイント数で割ったランク別ポイント単価を算出するランク別ポイント単価算出処理と、
前記ランク別ポイント単価算出処理により算出されたランク別ポイント単価に、前記各会員のランク別ポイント数を乗算して、該各会員のランク別分配金を算出し、前記権利を有する会員ランクからのランク別分配金の合計を算出する会員別分配金算出処理と、
をコンピュータに実行させることを特徴とするコンピュータ読み取り可能な分配金算出プログラム。
【請求項９】
前記会員情報登録処理は、
前記会員情報記録手段に記録されている会員が最高の会員ランクに到達した後、該会員が自己を紹介することにより外部から入力される会員情報を、前記会員と別人格と擬制して、前記会員情報記録手段にシリアルに記録されている会員情報の最後尾に記録することを特徴とする請求項８記載のコンピュータ読み取り可能な分配金算出プログラム。
【発明の詳細な説明】
【技術分野】
【０００１】
本発明は、新規会員を紹介して構築されるネットワークビジネスにおける各会員に分配される分配金を算出する分配金算出装置、分配金算出方法、及びそのプログラムに関する。
【背景技術】
【０００２】
近年、紹介販売において採用されている販売システムは、ブレイクアウェイ、ユニレベル、マトリックス、バイナリー、及びワンナリー等を使用しているものが殆どである。特許文献１は、可変バイナリ装置を開示する。バイナリは、ダウンラインに２系統しか設けないという制限を加えているため、比較的組織作りが容易である。
【特許文献１】特開２００２−３２９０５２号公報
【発明の開示】
【発明が解決しようとする課題】
【０００３】
しかしながら、バイナリといえどもダウンラインが２系統に分岐するため、下位にいくに従ってグループ化されていく。したがって、会員は、自己から始まる組織作り及び管理を行う必要があり、また、傘下会員の人数であるとか自分を中心としたグループの売上とか様々なノルマがあり、収入を得るにはそれなりの経験が必要であった。
【０００４】
本発明は、上記問題点に鑑みなされたものであり、会員になった後の組織作り及び組織管理の必要性がなく、単純に少数の新規会員を紹介するだけでも収入を得ることが可能なネットワークビジネスにおける各会員の分配金を算出する分配金算出装置、分配金算出方法、及びそのプログラムを提供することを目的とする。
【課題を解決するための手段】
【０００５】
かかる目的を達成するために、請求項１記載の発明は、少なくとも登録順番、会員の識別情報を含む各会員の会員情報をシリアルに記録する会員情報記録手段１４０Ａと、少なくとも前記一定期間内の商品の総売上額を記録する売上情報記録手段１４０Ｂと、新規会員の会員情報が外部から入力されると、前記会員情報記録手段１４０Ａにシリアルに記録されている会員情報の最後尾に前記新規会員の会員情報を記録する登録順番管理手段１１０Ａと、前記会員情報記録手段１４０Ａに記録された会員及び前記新規会員の売上情報が外部から入力されると、前記売上情報記録手段１４０Ｂに前記売上情報を記録する商品売上管理手段１１０Ｃと、前記一定期間が経過したとき、前記売上情報記録手段１４０Ｂに記録されている前記一定期間内の総売上額の一部から前記会員情報記録手段１４０Ａに記録された会員の内、複数の人を紹介した会員に分配する分配金を算出する分配金算出手段１１０Ｄと、を有し、前記分配金算出手段１１０Ｄは、前記複数の人を紹介した各会員の、後続する会員数に基づいて決定されるポイント数の合計である合計ポイント数を算出し、前記総売上額の一部を前記合計ポイント数で割ったポイント単価を算出し、該ポイント単価に前記各会員のポイント数を乗算して、該各会員の分配金を算出することを特徴としている。
【０００６】
請求項２記載の発明は、図１の基本構成図に示すように、少なくとも登録順番、会員の識別情報、登録後に紹介した会員の人数に基づき決定される会員ランク、及び予め定められた一定期間内の商品購入額を含む各会員の会員情報をシリアルに記録する会員情報記録手段１４０Ａと、少なくとも前記一定期間内の商品の総売上額を記録する売上情報記録手段１４０Ｂと、新規会員の会員情報が外部から入力されると、前記会員情報記録手段１４０Ａにシリアルに記録されている会員情報の最後尾に前記新規会員の会員情報を記録する登録順番管理手段１１０Ａと、前記会員情報記録手段１４０Ａに前記新規会員の記録がなされる際に、該新規会員を紹介した既存の会員の紹介人数の増加に対応して、該会員の会員ランクを更新する会員ランク管理手段１１０Ｂと、前記会員情報記録手段１４０Ａに記録された会員及び前記新規会員の売上情報が外部から入力されると、前記売上情報記録手段１４０Ｂに前記売上情報を記録し、前記会員情報記録手段１４０Ａに記録された該当する会員の商品購入額を更新する商品売上管理手段１１０Ｃと、前記一定期間が経過したとき、前記売上情報記録手段１４０Ｂに記録されている前記一定期間内の総売上額から前記会員情報記録手段１４０Ａに記録された会員に分配する分配金を算出する分配金算出手段１１０Ｄと、を有し、前記分配金算出手段１１０Ｄは、前記一定期間内の総売上額に前記会員ランクごとに予め決定される還元率を乗じて、該会員ランクごとに割り当てられるランク別分配金を算出し、前記会員ランクの資格を有し、かつ前記ランク別分配金を受け取る権利を有する各会員の、後続する会員数に基づいて決定されるランク別のポイント数の合計であるランク別合計ポイント数を算出し、前記ランク別分配金を前記ランク別合計ポイント数で割ったランク別ポイント単価を算出し、該ランク別ポイント単価に前記各会員のランク別のポイント数を乗算して、該各会員のランク別分配金を算出し、前記権利を有する会員ランクからのランク別分配金の合計を算出することを特徴としている。
【０００７】
請求項３記載の発明は、請求項２記載の発明において、前記登録順番管理手段１１０Ａは、前記会員情報記録手段１４０Ａに記録されている会員が最高の会員ランクに到達した後、該会員が自己を紹介することにより外部から入力される会員情報を、前記会員と別人格と擬制して、前記会員情報記録手段１４０Ａにシリアルに記録されている会員情報の最後尾に記録することを特徴としている。
【０００８】
請求項４記載の発明は、請求項１から３のいずれか１項に記載の発明において、前記各会員の前記ポイント数は、前記各会員の自己購入額に応じて、異なる基準で決定されることを特徴としている。
【０００９】
請求項５記載の発明は、請求項１から４のいずれか１項に記載の発明において、前記各会員の前記ポイント数は、前記各会員の後続する会員の購入額に応じて、異なる基準で決定されることを特徴としている。
【００１０】
請求項６記載の発明は、少なくとも登録順番、会員の識別情報、登録後に紹介した会員の人数に基づき決定される会員ランク、及び予め定められた一定期間内の商品購入額を含む各会員の会員情報をシリアルに記録する会員情報記録手段１４０Ａ、及び少なくとも前記一定期間内の商品の総売上額を記録する売上情報記録手段１４０Ｂを管理して、前記各会員に分配する分配金を算出する分配金算出方法であって、新規会員の会員情報を外部から入力されると、前記会員情報記録手段１４０Ａにシリアルに記録されている会員情報の最後尾に前記新規会員の会員情報を記録する会員情報登録ステップと、前記会員情報記録手段１４０Ａに前記新規会員の記録がなされる際に、該新規会員を紹介した既存の会員の紹介人数の増加に対応して、該会員の会員ランクを更新する会員ランク更新ステップと、前記会員情報記録手段１４０Ａに記録された会員及び前記新規会員の売上情報が外部から入力されると、前記売上情報記録手段１４０Ｂに前記売上情報を記録し、前記会員情報記録手段１４０Ａに記録された該当する会員の商品購入額を更新する商品売上更新ステップと、前記一定期間が経過したとき、該一定期間内の総売上額に前記会員ランクごとに予め決定される還元率を乗じて、該会員ランクごとに割り当てられるランク別分配金を算出するランク別分配金算出ステップと、前記会員ランクの資格を有し、かつ前記ランク別分配金を受け取る権利を有する各会員の、後続する会員数に基づいて決定されるランク別ポイント数の合計であるランク別合計ポイント数を算出するランク別合計ポイント数算出ステップと、前記ランク別分配金算出ステップにより算出されたランク別分配金を、前記ランク別合計ポイント数算出ステップにより算出されたランク別合計ポイント数で割ったランク別ポイント単価を算出するランク別ポイント単価算出ステップと、前記ランク別ポイント単価算出ステップにより算出されたランク別ポイント単価に、前記各会員のランク別ポイント数を乗算して、該各会員のランク別分配金を算出し、前記権利を有する会員ランクからのランク別分配金の合計を算出する会員別分配金算出ステップと、を有することを特徴としている。
【００１１】
請求項７記載の発明は、請求項６記載の発明において、前記会員情報登録ステップは、前記会員情報記録手段１４０Ａに記録されている会員が最高の会員ランクに到達した後、該会員が自己を紹介することにより外部から入力される会員情報を、前記会員と別人格と擬制して、前記会員情報記録手段１４０Ａにシリアルに記録されている会員情報の最後尾に記録することを特徴としている。
【００１２】
請求項８記載の発明は、少なくとも登録順番、会員の識別情報、登録後に紹介した会員の人数に基づき決定される会員ランク、及び予め定められた一定期間内の商品購入額を含む各会員の会員情報をシリアルに記録する会員情報記録手段１４０Ａ、及び少なくとも前記一定期間内の商品の総売上額を記録する売上情報記録手段１４０Ｂを管理して、前記各会員に分配する分配金を算出する分配金算出プログラムであって、新規会員の会員情報を外部から入力されると、前記会員情報記録手段１４０Ａにシリアルに記録されている会員情報の最後尾に前記新規会員の会員情報を記録する会員情報登録処理と、前記会員情報記録手段１４０Ａに前記新規会員の記録がなされる際に、該新規会員を紹介した既存の会員の紹介人数の増加に対応して、該会員の会員ランクを更新する会員ランク更新処理と、前記会員情報記録手段１４０Ａに記録された会員及び前記新規会員の売上情報が外部から入力されると、前記売上情報記録手段１４０Ｂに前記売上情報を記録し、前記会員情報記録手段１４０Ａに記録された該当する会員の商品購入額を更新する商品売上更新処理と、前記一定期間が経過したとき、該一定期間内の総売上額に前記会員ランクごとに予め決定される還元率を乗じて、該会員ランクごとに割り当てられるランク別分配金を算出するランク別分配金算出処理と、前記会員ランクの資格を有し、かつ前記ランク別分配金を受け取る権利を有する各会員の、後続する会員数に基づいて決定されるランク別ポイント数の合計であるランク別合計ポイント数を算出するランク別合計ポイント数算出処理と、前記ランク別分配金算出処理により算出されたランク別分配金を、前記ランク別合計ポイント数算出処理により算出されたランク別合計ポイント数で割ったランク別ポイント単価を算出するランク別ポイント単価算出処理と、前記ランク別ポイント単価算出処理により算出されたランク別ポイント単価に、前記各会員のランク別ポイント数を乗算して、該各会員のランク別分配金を算出し、前記権利を有する会員ランクからのランク別分配金の合計を算出する会員別分配金算出処理と、をコンピュータに実行させることを特徴としている。
【００１３】
請求項９記載の発明は、請求項８記載の発明において、前記会員情報登録処理は、前記会員情報記録手段１４０Ａに記録されている会員が最高の会員ランクに到達した後、該会員が自己を紹介することにより外部から入力される会員情報を、前記会員と別人格と擬制して、前記会員情報記録手段１４０Ａにシリアルに記録されている会員情報の最後尾に記録することを特徴としている。
【発明の効果】
【００１４】
請求項１記載の発明によれば、１系統で会員情報を記録する会員情報記録手段と、売上情報記録手段と、新規会員の会員情報を既存の会員情報の最後尾に記録する登録順番管理手段と、会員の売上情報を記録する商品売上管理手段と、一定期間が経過したとき、売上情報記録手段に記録されている一定期間内の総売上額の一部（例えば、総売上額の４０％等）から会員情報記録手段に記録された会員の内、複数の人を紹介した会員（例えば、２人以上紹介した会員）に分配する分配金を算出する分配金算出手段と、を有し、分配金算出手段は、複数の人を紹介した各会員の、後続する会員数に基づいて決定されるポイント数の合計である合計ポイント数を算出し、総売上額の一部を合計ポイント数で割ったポイント単価を算出し、ポイント単価に各会員のポイント数を乗算して、各会員の分配金を算出することにより、組織作りや組織管理が不得手な会員でも、１系統で後続の会員が登録されていくため、即ち、組織を共有することができるため、比較的安定的に分配金を受け取ることができる可能性が高くなる。したがって、多くの参加者が満足することができ、ネットワークビジネスの発展に繋がる。
【００１５】
請求項２記載の発明によれば、１系統で会員情報を記録していく会員情報記録手段と、売上情報記録手段と、新規会員の会員情報を既存の会員情報の最後尾に記録する登録順番管理手段と、新規会員を紹介した既存の会員の紹介人数の増加に対応して（例えば、２人紹介して２Ａランク、５人紹介して５Ａランク等）、会員の会員ランクを更新する会員ランク管理手段と、会員の売上情報が入力されると、売上情報記録手段に売上情報を記録し、会員情報記録手段に記録された該当する会員の商品購入額を更新する商品売上管理手段と、一定期間が経過したとき、一定期間内の総売上額から会員情報記録手段１４０Ａに記録された会員に分配する分配金を算出する分配金算出手段と、を有し、分配金算出手段は、一定期間内の総売上額に会員ランクごとに予め決定される還元率（会員ランクごとに異なる還元率にするとよい。）を乗じて、会員ランクごとに割り当てられるランク別分配金を算出し、会員ランクの資格（紹介人数が達成していると資格を取得する。）を有し、かつランク別分配金を受け取る権利（例えば、自己購入額が一定額以上である場合に権利を取得する。）を有する各会員の、後続する会員数（自己の紹介した会員数に限らない。）に基づいて決定されるランク別ポイント数の合計であるランク別合計ポイント数を算出し、ランク別分配金をランク別合計ポイント数で割ったランク別ポイント単価を算出し、ランク別ポイント単価に各会員のランク別ポイント数を乗算して、各会員のランク別分配金を算出し、分配金を受け取る権利を有する会員ランクからのランク別分配金の合計を算出することにより、組織作りや組織管理が不得手な会員でも、１系統で後続の会員が登録されていくため、即ち、組織を共有することができるため、比較的安定的に分配金を受け取ることができる可能性が高くなる。したがって、多くの参加者が満足することができ、ネットワークビジネスの発展に繋がる。
【００１６】
請求項３記載の発明によれば、請求項２記載の発明の効果に加えて、既存の会員が最高の会員ランクに到達した後、リエントリーする権利をオプションとして持ち、複数のポジションを会員情報記録手段に構築することができるため、最高ランクに到達した貢献度の高い会員のインセンティブを保つことができる。
【００１７】
請求項４記載の発明によれば、請求項１から３のいずれか１項に記載の発明の効果に加えて、各会員のランク別ポイント数を各会員の自己購入額に応じて、異なる基準で（例えば、自己購入額が一定額以上の会員のポイント決定を優遇する等）決定することにより、後続する会員の数のみならず、自己購入額も考慮して、各ランク内における分配率を決定することができる。
【００１８】
請求項５記載の発明によれば、請求項１から４のいずれか１項に記載の発明の効果に加えて、各会員のランク別ポイント数を各会員の後続する会員の購入額に応じて、異なる基準で決定することにより、後続する会員の数のみならず、後続する会員の購入額も考慮して、各ランク内における分配率を決定することができる。したがって、登録順番が遅い方の会員でも、購入額の大きい会員を紹介すれば、ランク内の分配率を上げることができる。
【００１９】
請求項６記載の発明によれば、新規会員の会員情報を既存の会員情報の最後尾に１系統で記録する会員情報登録ステップと、新規会員を紹介した既存の会員の紹介人数の増加に対応して（例えば、２人紹介して２Ａランク、５人紹介して５Ａランク等）、会員の会員ランクを更新する会員ランク更新ステップと、会員の売上情報が入力されると、総売上情報を更新し、該当する会員の商品購入額を更新する商品売上更新ステップと、一定期間が経過したとき、一定期間内の総売上額に会員ランクごとに予め決定される還元率（会員ランクごとに異なる還元率にするとよい。）を乗じて、会員ランクごとに割り当てられるランク別分配金を算出するランク別分配金算出ステップと、会員ランクの資格（紹介人数が達成していると資格を取得する。）を有し、かつランク別分配金を受け取る権利（例えば、自己購入額が一定額以上である場合に権利を取得する。）を有する各会員の、後続する会員数（自己の紹介した会員数に限らない。）に基づいて決定されるランク別ポイント数の合計であるランク別合計ポイント数を算出するランク別合計ポイント数算出ステップと、ランク別分配金をランク別合計ポイント数で割ったランク別ポイント単価を算出するランク別ポイント単価算出ステップと、ランク別ポイント単価に各会員のランク別ポイントを乗算して、各会員のランク別分配金を算出し、分配金を受け取る権利を有する会員ランクからのランク別分配金の合計を算出する会員別分配金算出ステップと、を有することにより、組織作りや組織管理が不得手な会員でも、１系統で後続の会員が登録されていくため、即ち組織を共有することができるため、比較的安定的に分配金を受け取ることができる可能性が高くなる。したがって、多くの参加者が満足することができ、ネットワークビジネスの発展に繋がる。
【００２０】
請求項７記載の発明によれば、請求項６記載の発明の効果に加えて、既存の会員が最高の会員ランクに到達した後、リエントリーする権利をオプションとして持ち、複数のポジションを会員情報記録手段に構築することができるため、最高ランクに到達した貢献度の高い会員のインセンティブを保つことができる。
【００２１】
請求項８記載の発明によれば、新規会員の会員情報を既存の会員情報の最後尾に１系統で記録する会員情報登録処理と、新規会員を紹介した既存の会員の紹介人数の増加に対応して（例えば、２人紹介して２Ａランク、５人紹介して５Ａランク等）、会員の会員ランクを更新する会員ランク更新処理と、会員の売上情報が入力されると、総売上情報を更新し、該当する会員の商品購入額を更新する商品売上更新処理と、一定期間が経過したとき、一定期間内の総売上額に会員ランクごとに予め決定される還元率（会員ランクごとに異なる還元率にするとよい。）を乗じて、会員ランクごとに割り当てられるランク別分配金を算出するランク別分配金算出処理と、会員ランクの資格（紹介人数が達成していると資格を取得する。）を有し、かつランク別分配金を受け取る権利（例えば、自己購入額が一定額以上である場合に権利を取得する。）を有する各会員の、後続する会員数（自己の紹介した会員数に限らない。）に基づいて決定されるランク別ポイント数の合計であるランク別合計ポイント数を算出するランク別合計ポイント数算出処理と、ランク別分配金をランク別合計ポイント数で割ったランク別ポイント単価を算出するランク別ポイント単価算出処理と、ランク別ポイント単価に各会員のランク別ポイント数を乗算して、各会員のランク別分配金を算出し、分配金を受け取る権利を有する会員ランクからのランク別分配金の合計を算出する会員別分配金算出処理と、をコンピュータに実行させることにより、組織作りや組織管理が不得手な会員でも、１系統で後続の会員が登録されていくため、即ち組織を共有することができるため、比較的安定的に分配金を受け取ることができる可能性が高くなる。したがって、多くの参加者が満足することができ、ネットワークビジネスの発展に繋がる。
【００２２】
請求項９記載の発明によれば、請求項８記載の発明の効果に加えて、既存の会員が最高の会員ランクに到達した後、リエントリーする権利をオプションとして持ち、複数のポジションを会員情報記録手段に構築することができるため、最高ランクに到達した貢献度の高い会員のインセンティブを保つことができる。
【発明を実施するための最良の形態】
【００２３】
以下、本発明を実施するための最良の形態を添付図面を参照しながら詳細に説明する。
【００２４】
図２は、本発明の実施形態における分配金算出装置１００の構成を示すブロック図である。分配金算出装置１００は、ＰＣやサーバ等により構成される。分配金算出装置１００は、ＣＰＵ１１０、ＲＯＭ１２０、ＲＡＭ１３０、記録部１４０、操作部１５０、入出力部１６０、及び表示部１７０を備える。
【００２５】
ＣＰＵ１１０は、各種のデータ処理を行い、装置１００全体を制御する。ＲＯＭ１２０は、ＣＰＵ１１０に各種処理動作を行わせるための制御プログラムが格納されている。ＲＡＭ１３０は、各種データ記憶用のデータエリア及び各種処理作業に用いるワークエリアとして使用される。記録部１４０は、ハードディスク等の大容量の記録装置であり、ＳＱＬ（Structured Query Language）等により各種のデータベースを構築する。本発明においては、会員データベース１４０Ａと売上データベース１４０Ｂを構築する。操作部１５０は、装置１００とオペレータとのインタフェースである。入出力部１６０は、装置１００外部の機器とデータの入出力を行うためのインタフェースである。表示部１７０は、オペレータに画像を表示する。
【００２６】
図３は、記録部１４０に構築される会員データベース１４０Ａの一例を示す図である。会員データベース１４０Ａは、会員登録の早い順番に会員に関する情報を管理するデータベースである。登録順位は、会員登録の早い順番にシリアルにカウントしていった順番である。基本的に会員数に上限はない。また、後述するように同一人物でも、一定の条件を満たすと再エントリーすることもできる。会員（登録者）基本情報は、会員を識別するための基本情報である。図示した名前、住所、電話番号に加え、性別、年齢、職業、メールアドレス等を登録するとよい。
【００２７】
会員ランクは、紹介者の人数によりランク付けられるものである。図３においては、２Ａ（アクティブ）が２人紹介、３Ａが３人紹介、５Ａが５人紹介、０Ａが紹介者なしを示している。商品購入額は、会員が会から商品やサービスを購入した額である。累積購入額と当期購入額を管理する。当期とは、分配金算出の原資となる売上額を締める一定の期間（例えば、１ヶ月単位、３ヶ月単位）に対応する。
【００２８】
また図示しないが、記録部１４０には、累積売上額に加えて、上述した一定の期間単位で商品の売上額を管理する売上データベース１４０Ｂも構築されている。
【００２９】
次に、本発明の実施形態における分配金算出装置１００の動作（分配金算出方法）について説明する。まず、分配金算出の基本原理について説明する。図４は、分配金算出の基本原理について説明するための図である。図４は、３さん（便宜上登録順番と同一の仮名にしている）の当期の分配金算出方法を説明している。まず、１さんからシリアルに会員登録がなされていく。各会員は、新たな会員を１人紹介するとランクが１Ａとなり、２人紹介すると２Ａとなり、３人紹介すると３Ａとなる。この例では、ランクが２Ａ以上から分配金を受ける資格がある。そして、当期の総売上額の１６％を２Ａ資格を有する会員に還元し、１２％を３Ａ資格を有する会員に還元する。したがって、還元する総額は、総売上額に対する一定の割合に限定されている。
【００３０】
２Ａまたは３Ａ資格を有する会員は、２人目または３人目を紹介した後から当期の締めまでの登録会員の人数をカウントし、それをポイントとする。ポイントの決定方法は、単純に人数をカウントする手法に限るものではなく、種々の手法を使用することができる。他の手法については後述する。ここでは説明を単純化するために、単純に人数をカウントする手法を使用する場合について説明する。
【００３１】
２Ａまたは３Ａ資格を有する会員が当期の分配金を受ける権利を得るために一定の条件を設けてもよい。例えば、当期に一定額以上の商品を自己が購入していることを条件とすることができる。図４の例において、４さんは、２人を紹介しているが一定の条件を満たさないため２Ａランクの分配金を受け取ることができない。
【００３２】
３さんが２人目を紹介した後、当期の締めまでに６人の会員登録があるため、２Ａランクにおいて６ポイント所持している。また、３人目を紹介した後、当期の締めまでに３人の会員登録があるため、３Ａランクにおいて３ポイント所持している。
【００３３】
当期総売上額が１００万円だとすると、２Ａランクに分配される分配金総額は１６万円、３Ａランクに分配される分配金総額は１２万円である。次に、ランク別に有権利者の総ポイント数を算出し、各分配金総額から割ってポイント単価を算出する。２Ａランクの有権利者は１さん、３さん、８さんである。１さんは１２ポイント、３さんは６ポイント、８さんは２ポイントである。したがって、２Ａランクのポイント単価は８０００円となる。３Ａランクについても同様に計算して、ポイント単価は１２０００円となる。
【００３４】
３さんは、各ポイント単価に従い、２Ａランクから４８０００円、３Ａランクから３６０００円を受け取り合計８４０００円を受け取る。なお、この説明は、本発明の分配金算出方法の原理を説明するためのものであり、ランクの設定の仕方、各ランクの還元率等は任意である。
【００３５】
図５は、本発明の実施形態における分配金算出装置の動作（分配金算出方法）について説明するためのフローチャートである。まず、分配金算出装置１００のオペレータは、電話やＦＡＸ等により会員登録をしたい旨の通報や通知を受けると（ステップＳ１０／Ｙ）、操作部１５０から記録部１４０に構築された会員データベース１４０Ａに所定の事項を入力する（ステップＳ１１）。登録順番管理手段１１０Ａは、二人目以降からシリアルに登録されている会員登録の最後尾に上記事項を追加していく（ステップＳ１１）。
【００３６】
ここで、会員登録を会員データベース１４０Ａに登録していく手法は、オペレータ入力に限定されるものではない。入出力部１６０と銀行の口座システムとをインターネットや専用回線等により接続し、商品購入の代金を決済した時点を基準に自動的に上記会員データベース１４０Ａに登録するようにしてもよい。また、登録順番の証明を後日に残すため、入出力部１６０をファクシミリ装置と接続し、受信日時を上記会員データベース１４０Ａに登録してもよい。
【００３７】
次に、会員ランク管理手段１１０Ｂは、新規会員を紹介した会員の紹介人数をカウントアップし、会員データベース１４０Ａ中の当該会員の会員ランクを更新する（ステップＳ１２）。会員ランクは、紹介人数を基に決定されるが、１人紹介と１ランクを完全に対応させる必要はなく、２人紹介して１ランク上がる等、種々ランク分けを設定することが可能である。
【００３８】
次に、会員が商品を購入した旨の情報をオペレータが入力したり、インターネットや専用回線を介して入出力部１６０から入力されると（ステップＳ１３／Ｙ）、商品売上管理手段１１０Ｃは、購入した会員を特定し、会員データベース１４０Ａ中の当該会員の購入額を更新する。また同時に、商品売上管理手段１１０Ｃは、売上データベース１４０Ｂの売上額も更新する。ここで、会員データベース１４０Ａ、及び売上データベース１４０Ｂの売上額の更新は、当期及び累積の両方を更新する。
【００３９】
次に、当期の締めの期日になると（ステップＳ１５／Ｙ）、分配金算出手段１００Ｄは、各会員に対する分配金を算出する（ステップＳ１６）。以下、分配金算出方法の一般式を説明する。
【００４０】
Ｘランク有権利者会員への分配金合計Ｘｄｓ＝総売上額Ｓ×Ｘランクへの還元率Ｘｒ…式１
Ｘランク有権利者会員の分配金単価Ｘｕｐ＝Ｘランク有権利者会員への分配金合計Ｘｄｓ÷Ｘランク有権利者会員の総ポイント数Ｘｐｓ  …式２
各Ｘランク有権利者会員の分配金Ｘｐｄ＝Ｘランク有権利者会員の分配金単価Ｘｕｐ×各Ｘランク有権利者会員のポイント数Ｘｐ  …式３
【００４１】
式１は、売上データベース１４０Ｂに記録されている当期の総売上額に各ランクの還元率を掛けて、各ランクの有権利者会員へ分配する分配金合計を算出するものである。式２は、特定のランクの有権利者会員への配当金合計を当該ランクの有権利者会員の総ポイント数で割って、当該ランクの有権利者会員の分配金単価を算出するものである。式３は、特定のランクの有権利者会員の分配金単価に、当該ランクから分配金を受ける資格を有する特定の有権利者会員のポイント数を掛けて、当該有権利者会員の分配金を算出するものである。そして、ある会員が複数のランクから分配金を受ける資格を有する場合、今期に分配金を受ける権利を有するランクからの分配金の合計が当該会員の受け取る分配金合計となる。
【００４２】
次に、会員データベース１４０Ａに既に登録されている会員がリエントリーする場合について説明する。会員ランクに上限がある場合、その上限に達した会員は、現会員登録と別個の新たな会員登録を行うことにより、その会において新たな権利帰属主体を創設することができる。これは、会員にとってオプションであり行使しなくてもよい。
【００４３】
図６は、記録部１４０に構築される会員データベース（リエントリー可能）１４０Ａの一例を示す図である。図６に示す例においては、会員ランクの上限を５Ａとしている。即ち、５人目を紹介した会員は、６人目、７人目を紹介しても会員ランクは上がらない。その代わりに、新たに登録する会員と同様に新たな商品を購入した際、シリアルに登録されている会員登録の最後尾に登録することができる。つまり、本人が本人を紹介したことになる。この登録も、通常の登録と同様にポイント数カウントの対象となる。
【００４４】
図６における東京太郎さんは、２１番目に新たに会員登録を行っている。１番目の東京太郎さん（東京太郎１）と２１番目の東京太郎（東京太郎２）さんは、同一人物であるが、会においては別人格と擬制される。以後、実在する１人の東京太郎さんが商品を購入したり、会員を紹介した場合、当該東京太郎さんは、東京太郎１が行った行為か東京太郎２が行った行為かを選択して、会員データベース１４０Ａを更新することができる。
【００４５】
なお、東京太郎２のほうも会員ランクの上限に達した場合、さらに東京太郎３をリエントリーすることができる。リエントリーできる数は、基本的に任意であるが、例えば１０までといったように上限を設けてもよい。
【００４６】
なお、上述した実施形態は、本発明の好適な実施形態の一例を示したものであり、本発明はそれに限定されることなく、その要旨を逸脱しない範囲内において種々変形実施が可能である。
【００４７】
各会員のポイント数の決定手法を単純に後続の会員数をカウントするのではなく、種々の重み付けを行うことができる。例えば、当期締めまでの後続する各会員の当期購入額を合算し、その合算額を所定の数値で割った値をポイントとして決定してもよい。また、後続する各会員の当期購入額を一定の額に擬制して合算し、その合算額を所定の数値で割った値をポイントとして決定してもよい。さらに、後続する各会員の当期購入額をそのレンジに対応して予め定めた額に擬制し、それらを合算し、その合算額を所定の数値で割った値をポイント数として決定してもよい。これにより、後続する会員の数のみならず、後続する会員の購入額も考慮して、各ランク内における分配率を決定することができる。
【００４８】
次に、各会員のポイント数の決定手法において、当該会員の購入額に応じて異なる決定手法を用いることができる。即ち、自己購入額の大きい会員のポイント算定を、自己購入額の低い会員のポイント算定より優遇することができる。例えば、上述した後続する各会員の当期購入額を比較的低額な一定の額に擬制して合算し、その合算額を所定の数値で割る手法を用いて、自己購入額が一定の額に満たない会員のポイント数を算出する。そして、上述した後続する各会員の当期購入額をそのレンジに対応して予め定めた額（当該購入額に対して比例関係にある額）に擬制し、それらを合算し、その合算額を所定の数値で割る手法を用いて、自己購入額が一定の額以上の会員のポイント数を算出する。これにより、後続する会員の数や後続する会員の購入額のみならず、自己購入額も考慮して、各ランク内における分配率を決定することができる。
【００４９】
また、会員は、自己が紹介した会員が受け取る分配金の一定割合（例えば、１０％〜５０％）の額のパートナーボーナスを受け取れるようにしてもよい。これにより、貢献度の高い会員を紹介するインセンティブを与えることができる。
【００５０】
また、各会員に分配される分配金、または分配金と上記パートナーボーナスとの合計金額に上限を設けてもよい。この上限は、上述した自己購入額に応じて異なる額とすることもできる。
【００５１】
なお、本発明の分配金算出方法は、コンピュータにプログラムを実行させることにより実現可能である。当該プログラムは、光記録媒体、磁気記録媒体、光磁気記録媒体もしくは半導体ＩＣ記録媒体に記録されて提供される。または、ＦＴＰ（File Transfer Protocol）、ＨＴＴＰ（Hypertext Transfer Protocol）等のプロトコルによりプログラムサーバからネットワークを介してダウンロードされて提供される。
【図面の簡単な説明】
【００５２】
【図１】本発明の実施形態における分配金算出装置１００の基本構成を示すブロック図である。
【図２】本発明の実施形態における分配金算出装置１００のハード構成を示すブロック図である。
【図３】記録部１４０に構築される会員データベースの一例を示す図である。
【図４】分配金算出の基本原理について説明するための図である。
【図５】本発明の実施形態における分配金算出装置の動作（分配金算出方法）について説明するためのフローチャートである。
【図６】記録部１４０に構築される会員データベース（リエントリー可能）の一例を示す図である。
【符号の説明】
【００５３】
１００    分配金算出装置
１１０    ＣＰＵ
１１０Ａ    登録順番管理手段
１１０Ｂ    会員ランク管理手段
１１０Ｃ    商品売上管理手段
１１０Ｄ    分配金算出手段
１２０    ＲＯＭ
１３０    ＲＡＭ
１４０    記録部
１４０Ａ    会員データベース（会員情報記録手段）
１４０Ｂ    売上データベース（売上情報記録手段）
１５０    操作部
１６０    入出力部
１７０    表示部
【図１】
2005141304.tif 000003
【図２】
2005141304.tif 000004
【図３】
2005141304.tif 000005
【図４】
2005141304.tif 000006
【図５】
2005141304.tif 000007
【図６】
2005141304.tif 000008